(57)【要約】      （修正有）【課題】ファッショントレンドをナチュラルに維持しながらも、通常のパンツ機能と体温保温の機能とを効率よく行うことのできる可変型パンツを提供する。【解決手段】可変型パンツは、綿類系パンツの本体１０と、綿類系パンツの本体に対応するポリエステル系の可変部２０と、綿類系パンツの本体の下段部に設けた一対の連結具５０と、一対の連結具５０に対応するポリエステル系の可変部に設けた一対の連結具５１と、一対の連結具５０と５１とを結合するロック部（ジッパー）と、を含む。【選択図】図１
0003210410.tif 000002
【実用新案登録請求の範囲】
【請求項１】
下着としてはくパンツであって、
綿類系パンツの本体と、
前記綿類系パンツの本体に対応するポリエステル系の可変部と、
前記綿類系パンツの本体の下段部における一対の連結具と、
前記綿類系パンツの本体の下段部における一対の連結具に対応するポリエステル系の可変部の一対の連結具と、
前記綿類系パンツの本体の下段部における一対の連結具と前記ポリエステル系の可変部の一対の連結具とが結合されるロック部と、
を含むことを特徴とするパンツ。
【考案の詳細な説明】
【技術分野】
【０００１】
本考案は、パンツに関する。
【背景技術】
【０００２】
従来におけるパンツは、ヒップ部分のカバーの役割と鼠蹊部近くの汗吸収及び風通しが主な役割である。従って、晩秋、冬の天気のような低い温度で身体保温の効果的な機能は期待できない。
【０００３】
服を重ねて体温を保温しようとする場合、上体はコートを着たりして体温を維持できるものの、下半身の場合に重ねてはいた時に腰やお尻部分によって活動が不自然であり、比較的に不便である。
【０００４】
他の観点で、ファッションは自信感を表すものであって、社会的な活動を盛んにする時期はより一層敏感である。これによって、普通は重ねてはくことなく、ズボンのみをはく。
【０００５】
従って、通常のパンツだけでは健康な体温を管理することが難しい短所がある。特に、寒い天気に敏感な身体的な条件を有する場合はより一層困難である。
【考案の概要】
【考案が解決しようとする課題】
【０００６】
本考案は、パンツ固有の機能と可変部の機能とが構造的に結合し、本人のファッショントレンドをナチュラルに維持しながらも、通常のパンツ機能と体温保温の機能とを効率よく行うことのできるパンツを提供することに目的がある。
【課題を解決するための手段】
【０００７】
前記の目的を達成するための本考案は下着としてはくパンツであって、綿類系パンツの本体と、前記綿類系パンツの本体に対応するポリエステル系の可変部からなり、前記綿類系パンツの本体の下段部における一対の連結具と、前記綿類系パンツの本体の下段部における一対の連結具に対応するポリエステル系の可変部の一対の連結具からなり、前記綿類系パンツの本体の下段部における一対の連結具と前記ポリエステル系の可変部の一対の連結具とが結合されるロック部とを含むことを特徴とする。
【考案の効果】
【０００８】
本考案のパンツは、「パンツ本体の固有の機能と可変部の機能が構造的に結合」し、すなわち、「綿類系パンツの本体として汗の吸水性、通風性素材の機能性とポリエステル系の可変部として体形の密着性、保温機能性素材の機能性が構造的に結合」され、日常のパンツの役割を果たすと共に、体形を維持しながらも保温機能を可能にし、冷たい天気に健康な体温維持を効率よく行うことができ、下着を重なってはかないため、身体活動が比較的に自在である。
【０００９】
実質的な体形の変化なしに本人のファッショントレンドを維持することができる。
【図面の簡単な説明】
【００１０】
【図１】パンツ本体と可変部とが結合した下半身の透視図である。
【図２】パンツ本体と可変部とがロック部（ジッパー）により結合された例示図である。
【図３】パンツ本体と可変部とがロック部（ジッパー）により取外しされる例示図である。
【図４】パンツ本体と可変部（６分丈）とがロック部（ジッパー）により結合された例示図である。
【図５】パンツ本体と可変部（５分丈）がロック部（ジッパー）により結合された例示図である。
【図６】パンツ本体と可変部がロック部（返し縫い）により結合された例示図である。
【考案を実施するための形態】
【００１１】
以下、添付された図面を参照して本考案を説明すれば、次の通りである。
【００１２】
本考案は図１図２、図６に示すように、下着としてはくパンツであって、綿類系パンツの本体１０と、前記綿類系パンツの本体１０に対応するポリエステル系の可変部２０からなり、前記綿類系パンツの本体１０の下段部における一対の連結具５０と、前記綿類系パンツの本体１０の下段部における一対の連結具５０に対応するポリエステル系の可変部２０の一対の連結具５１からなり、前記綿類系パンツの本体１０の下段部における一対の連結具５０と前記ポリエステル系の可変部２０の一対の連結具５１とが結合されるロック部４０、４１とを含むことを特徴とする。
【００１３】
前記に説明したように、「綿類系パンツの本体の下段部における一対の連結具とポリエステル系の可変部の一対の連結具とが結合」することは、すなわち、「綿類系パンツの本体として汗の吸水性及び通風性素材の機能性を、ポリエステル系の可変部として体形の密着性及び保温機能性素材の機能性を構造的に組み合わせる」のように表現することができる。
【００１４】
詳細に、綿類系パンツの本体の下段部における一対の連結具とポリエステル系の可変部の一対の連結具とが結合されれば、特に、結合されるロック部の構造はロック式（図２）、固定式（図６）のように制限されることはない。
【００１５】
本実施形態において、パンツ本体の連結具と可変部の連結具とが結合されるロック部の構造において、図２はジッパーを使用し、図６は返し縫いを使用して結合されるロック部の構造を有するものと表現している。
【００１６】
特に、実施形態のように、図２及び図３に示すジッパーロック部は、可変部の機能を多様に変化させ得る。すなわち、図４は可変部の長さを６分丈に、図５は可変部の長さを５分丈に選択的に結合又は取外して、天気変化に対応するようにその効率性を高めることができる。
【００１７】
以上で本考案の技術的な思想を例示するための数個の実施形態に関連して説明かつ図示したが、本考案は上記のように説明された構成及び作用のみに限定されるものではなく、実用新案登録請求の範囲に記載された技術的な思想の範疇を逸脱することなく本考案に対して複数の変更及び修正が可能であることは通常の技術者にとって理解できるものである。従って、そのような全ての適切な変更及び修正と均等物も本考案の範囲に属するものとして見なされなければならない。
【符号の説明】
【００１８】
１０：綿類系パンツの本体
２０：ポリエステル系の可変部
３０：下半身
４０：ロック部（ジッパー）
４１：ロック部（返し縫い）
５０；パンツ本体の連結具
５１；可変部連結具
６０：可変部（６分丈）
６１：可変部（５分丈）
【図１】
0003210410.tif 000003
【図２】
0003210410.tif 000004
【図３】
0003210410.tif 000005
【図４】
0003210410.tif 000006
【図５】
0003210410.tif 000007
【図６】
0003210410.tif 000008
【手続補正書】
【提出日】平成29年3月15日(2017.3.15)
【手続補正１】
【補正対象書類名】実用新案登録請求の範囲
【補正対象項目名】全文
【補正方法】変更
【補正の内容】
【実用新案登録請求の範囲】
【請求項１】
下着としてはくパンツであって、
綿類系のパンツ本体と、
前記パンツ本体の下段部に結合できるポリエステル系素材でできた一対の可変部と、
前記パンツ本体の下段部に設けられる一対の連結具と、
前記パンツ本体の一対の連結具に対応する、前記一対の可変部の各々に設けられる連結具と、
前記パンツ本体の一対の連結具と前記一対の可変部の連結具とが互いに結合されるロック部と、
を含むことを特徴とするパンツ。
【手続補正２】
【補正対象書類名】明細書
【補正対象項目名】０００７
【補正方法】変更
【補正の内容】
【０００７】
前記の目的を達成するための本考案は下着としてはくパンツであって、綿類系のパンツ本体と、前記パンツ本体の下段部に結合できるポリエステル系素材でできた一対の可変部からなり、前記パンツ本体の下段部に設けられる一対の連結具と、前記パンツ本体の一対の連結具に対応する、前記一対の可変部の各々に設けられる連結具からなり、前記パンツ本体の一対の連結具と前記一対の可変部の連結具とが互いに結合されるロック部とを含むことを特徴とする。
【手続補正３】
【補正対象書類名】明細書
【補正対象項目名】０００８
【補正方法】変更
【補正の内容】
【０００８】
本考案のパンツは、「パンツ本体の固有の機能と可変部の機能が構造的に結合」し、すなわち、「綿類系のパンツ本体として汗の吸水性、通風性素材の機能性とポリエステル系の可変部として体形の密着性、保温機能性素材の機能性が構造的に結合」され、日常のパンツの役割を果たすと共に、体形を維持しながらも保温機能を可能にし、冷たい天気に健康な体温維持を効率よく行うことができ、下着を重なってはかないため、身体活動が比較的に自在である。
【手続補正４】
【補正対象書類名】明細書
【補正対象項目名】００１２
【補正方法】変更
【補正の内容】
【００１２】
本考案は図１、図２、図６に示すように、下着としてはくパンツであって、綿類系のパンツ本体１０と、前記綿類系のパンツ本体１０の下段部に結合できるポリエステル系素材でできた一対の可変部２０からなり、前記綿類系のパンツ本体１０の下段部に設けられる一対の連結具５０と、前記綿類系のパンツ本体１０の一対の連結具５０に対応する、一対の可変部２０の各々に設けられる連結具５１からなり、前記綿類系のパンツ本体１０の一対の連結具５０と前記一対の可変部２０の連結具５１とが互いに結合されるロック部４０、４１とを含むことを特徴とする。
【手続補正５】
【補正対象書類名】明細書
【補正対象項目名】００１３
【補正方法】変更
【補正の内容】
【００１３】
前記に説明したように、「綿類系のパンツ本体の一対の連結具と一対の可変部の連結具とが結合」することは、すなわち、「綿類系のパンツ本体として汗の吸水性及び通風性素材の機能性を、ポリエステル系の可変部として体形の密着性及び保温機能性素材の機能性を構造的に組み合わせる」ように表現することができる。
【手続補正６】
【補正対象書類名】明細書
【補正対象項目名】００１４
【補正方法】変更
【補正の内容】
【００１４】
詳細に、綿類系のパンツ本体の一対の連結具と一対の可変部の連結具とが結合されれば、特に、結合されるロック部の構造はロック式（図２）、固定式（図６）のように制限されることはない。
【手続補正７】
【補正対象書類名】明細書
【補正対象項目名】００１８
【補正方法】変更
【補正の内容】
【００１８】
１０：綿類系のパンツ本体
２０：ポリエステル系の可変部
３０：下半身
４０：ロック部（ジッパー）
４１：ロック部（返し縫い）
５０；パンツ本体の連結具
５１；可変部連結具
６０：可変部（６分丈）
６１：可変部（５分丈）